(57)【要約】【課題】オペレータの会話に異常が発生した場合に、オペレータに対して音声で迅速にアドバイスを送るオペレータ管理システムを提供する。【解決手段】オペレータ端末２００、管理端末３００、及び外部電話機１００の接続回線を分岐させる分岐部５２０と、前記オペレータ端末２００、及び外部電話機１００の接続回線について、それぞれの会話音声情報を相互に送受信可能に接続し、前記管理端末３００の接続回線について、当該会話音声情報を当該管理端末３００が受信可能に接続すると共に、当該管理端末３００から送信される管理音声情報を前記オペレータ端末２００にのみ送信可能に接続する接続制御部４３０と、当該接続制御部４３０の制御に基づいて、前記分岐部５２０が分岐させた各回線の接続を切り替える切替部５１０とを備える。【選択図】図１
2010141804.tif 000002
【特許請求の範囲】
【請求項１】
複数のオペレータ端末と当該オペレータ端末を管理する管理端末とを備えるオペレータ管理システムにおいて、
前記オペレータ端末、管理端末、及び外部の電話機の接続回線を分岐させる回線分岐手段と、
前記オペレータ端末、及び外部の電話機の接続回線について、それぞれの会話音声情報を相互に送受信可能に接続し、前記管理端末の接続回線について、当該会話音声情報を当該管理端末が受信可能に接続すると共に、当該管理端末から送信される管理音声情報を前記オペレータ端末にのみ送信可能に接続する接続制御手段と、
当該接続制御手段の制御に基づいて、前記回線分岐手段が分岐させた各回線の接続を切り替える接続切替手段とを備えるオペレータ管理システム。
【請求項２】
請求項１に記載のオペレータ管理システムにおいて、
前記オペレータ端末、及び外部の電話機で送受信された会話音声情報、並びに当該会話音声情報が生成されたときに前記オペレータ端末に表示されていた画面情報を対応付けて会話情報として格納する会話情報格納手段と、
前記会話情報における会話の異常を報知する異常報知手段と、
当該異常報知手段が報知した報知情報に基づいて、前記会話情報格納手段に格納された前記会話音声情報を出力すると共に、当該会話音声情報の再生速度に対応した速度で前記画面情報をスライド切替表示する会話情報出力手段とを備えるオペレータ管理システム。
【請求項３】
請求項２に記載のオペレータ管理システムにおいて、
前記会話情報格納手段が格納する会話情報における質疑応答情報の一覧を表示する一覧表示手段と、
当該一覧表示手段が表示した質疑応答情報のうち、会話の異常が発生した原因となる質疑応答情報を抽出する異常抽出手段とを備え、
前記会話情報出力手段が、前記異常抽出手段が抽出した質疑応答情報に対応する前記会話情報を優先して出力するオペレータ管理システム。
【請求項４】
請求項３に記載のオペレータ管理システムにおいて、
前記会話音声情報を文字情報に変換する文字変換手段と、
当該文字変換手段が変換した文字情報を形態素解析する文字解析手段と、
当該文字解析手段が解析した文字情報から所定の品詞に該当する文字列を抽出する文字列抽出手段とを備え、
前記一覧表示手段が、質疑応答情報の一覧を表示すると共に、前記文字列抽出手段が抽出した文字列を、当該質疑応答に対応付けて表示するオペレータ管理システム。
【請求項５】
複数のオペレータ端末を管理端末にて管理するオペレータ管理方法において、
前記オペレータ端末、前記管理端末、及び外部の電話機の接続回線を分岐させて接続し、当該オペレータ端末、及び当該オペレータ端末と通話可能に接続する外部の電話機の接続回線について、それぞれの会話音声情報を相互に送受信可能に接続し、前記管理端末の接続回線について、当該会話音声情報を当該管理端末が受信可能に接続すると共に、当該管理端末から送信される管理音声情報を前記オペレータ端末にのみ送信可能に接続する接続制御ステップと、
当該接続制御ステップの制御に基づいて、前記分岐させた各回線の接続を切り替える接続切替ステップとを含むオペレータ管理方法。
【請求項６】
請求項５に記載のオペレータ管理方法において、
前記オペレータ端末、及び外部の電話機で送受信された会話音声情報、並びに当該会話音声情報が生成されたときに前記オペレータ端末に表示されていた画面情報を対応付けて会話情報として格納する会話情報格納ステップと、
前記会話情報における会話の異常を報知する異常報知ステップと、
当該異常報知ステップで報知された報知情報に基づいて、前記会話情報格納ステップで格納された前記会話音声情報を出力すると共に、当該会話音声情報の再生速度に対応した速度で前記画面情報をスライド切替表示する会話情報出力ステップとを含むオペレータ管理方法。
【請求項７】
複数のオペレータ端末を管理端末にて管理するようにコンピュータを機能させるオペレータ管理プログラムにおいて、
前記オペレータ端末、前記管理端末、及び外部の電話機の接続回線を分岐させて接続し、当該オペレータ端末、及び外部の電話機の接続回線について、それぞれの会話音声情報を相互に送受信可能に接続し、前記管理端末の接続回線について、当該会話音声情報を当該管理端末が受信可能に接続すると共に、当該管理端末から送信される管理音声情報を前記オペレータ端末にのみ送信可能に接続する接続制御手段、
当該接続制御手段の制御に基づいて、前記分岐させた各回線の接続を切り替える接続切替手段としてコンピュータを機能させるオペレータ管理プログラム。
【請求項８】
請求項７に記載のオペレータ管理プログラムにおいて、
前記オペレータ端末、及び外部の電話機で送受信された会話音声情報、並びに当該会話音声情報が生成されたときに前記オペレータ端末に表示されていた画面情報を対応付けて会話情報として格納する会話情報格納手段、
前記会話情報における会話の異常を報知する異常報知手段、
当該異常報知手段が報知した報知情報に基づいて、前記会話情報格納手段に格納された前記会話音声情報を出力すると共に、当該会話音声情報の再生速度に対応した速度で前記画面情報をスライド切替表示する会話情報出力手段としてコンピュータを機能させるオペレータ管理プログラム。
【発明の詳細な説明】
【技術分野】
【０００１】
本発明は、１つの管理端末で複数のオペレータ端末を管理するオペレータ管理システム等に関する。
【背景技術】
【０００２】
発信型及び受信型コールセンターにおいて、クレームの発生監視や電話対応の指導を目的に、管理者が、「電話オペレータ」と「電話先の相手」との会話のやりとりをモニタリングする仕組みをよく用いる。具体的な運用は、クレームが発生した場合などは、モニタリングをしていた管理者がオペレータ席まで行き、対応方法のメモをオペレータにそっと差し出す。また、一旦会話を保留、又は電話口を手でふさぎ、対応方法を管理者と相談したのちに会話を再開する方法が一般的である。
【０００３】
クレーム等が発生した場合に、メモの差し出しや一旦保留にしての相談などは、対応に時間を要し、その結果相手を待たせてしまうため、相手の気分を害し、クレーム等の問題を大きくしてしまう恐れがある。
このような問題に関して、困惑しているオペレータからの要求を受けて、支援者が代理で対応したり、テキストでアドバイスを送る等の技術が開示されている。（特許文献１を参照）
【特許文献１】特開２００７−４０００号公報
【発明の開示】
【発明が解決しようとする課題】
【０００４】
特許文献１に示す技術は、オペレータが困惑している場合に、電話の回線を切り替えることで、オペレータに代わって支援者が代理で対応することができ、通常は問題を大きくなる前に解決できる可能性が高くなる。しかし、顧客にとっては、対応する相手（担当者）が変わってしまうため信用性を失い易くなってしまう。また併せて、これまでの会話を支援者が正確に把握できていない場合には、同じ内容の質疑応答が繰り返されてしまう可能性があり、顧客にとって煩わしく、逆に問題が大きくなってしまう可能性があるという課題を有する。
【０００５】
また、チャットプログラムを利用してオペレータに対してテキストでアドバイスを送ることができる。しかし、支援者がアドバイス内容をキーボードで入力する時間、オペレータがその内容を解読する時間が必要となり、アドバイスを適切なタイミングで行うことができない場合があるという課題を有する。
【０００６】
そこで、本発明は上記課題を解決するためになされたものであり、オペレータの会話に異常が発生した場合に、オペレータに対して音声で迅速にアドバイスを送るオペレータ管理システムを提供することを目的とする。
【課題を解決するための手段】
【０００７】
本願に開示するオペレータ管理システムは、複数のオペレータ端末と当該オペレータ端末を管理する管理端末とを備えるオペレータ管理システムにおいて、前記オペレータ端末、管理端末、及び外部の電話機の接続回線を分岐させる回線分岐手段を備える。また、前記オペレータ端末、及び外部の電話機の接続回線について、それぞれの会話音声情報を相互に送受信可能に接続する。さらに、前記管理端末の接続回線について、当該会話音声情報を当該管理端末が受信可能に接続すると共に、当該管理端末から送信される管理音声情報を前記オペレータ端末にのみ送信可能に接続する接続制御手段を備える。さらにまた、当該接続制御手段の制御に基づいて、前記回線分岐手段が分岐させた各回線の接続を切り替える接続切替手段を備える。
【０００８】
このように、本願に開示するオペレータ管理システムは、オペレータ端末、及び外部の電話機の接続回線について、それぞれの会話音声情報を相互に送受信可能に接続する。また、管理端末の接続回線については、当該会話音声情報を当該管理端末が受信可能に接続すると共に、当該管理端末から送信される管理音声情報を前記オペレータ端末にのみ送信可能に接続する。そうすることで、外部の電話機に対して音声情報を送ることなく、オペレータにのみ聞こえるように音声情報でそっとアドバイスを送ることができるという効果を奏する。
【０００９】
また、管理者が代理で対応することなく、オペレータが最後まで対応することができるため、会話相手の信頼性を失う可能性が低くなるという効果を奏する。
さらに、視覚的な手法によりアドバイスを送るのではなく、聴覚的な手法によりアドバイスを送るため、即時に情報を伝達することができ、適切なタイミングでアドバイスすることができるという効果を奏する。
【００１０】
さらにまた、オペレータ業務において非常に重要であり、相手の感情を左右する要素となる口調などの微妙なニュアンスについては視覚情報では伝わりにくい。しかし、音声情報でアドバイスすることで、口調や感情等の微妙なニュアンスを伝えることができるという効果を奏する。
【００１１】
なお、管理端末から送信される管理音声情報は、オペレータ端末に接続されたヘッドセットの一方のスピーカから出力され、外部の電話機から送信される会話音声情報が他方のスピーカから出力されるようにしてもよい。
また、オペレータ端末に接続されたヘッドセットが片耳型の場合は、その１つのスピーカから管理音声情報、及び会話音声情報が出力されるようにしてもよい。
【００１２】
これまで、本発明をシステムとして示したが、所謂当業者であれば明らかであるように本発明を装置、方法、及び、プログラムとして捉えることもできる。これら前記の発明の概要は、本発明に必須となる特徴を列挙したものではなく、これら複数の特徴のサブコンビネーションも発明となり得る。
【００１３】
すなわち、本願に開示するオペレータ管理システムの構成要素または構成要素の任意の組合せを、方法、装置、回路、システム、コンピュータプログラム、記録媒体、データ構造などに適用したものも、他の態様として有効である。
【発明を実施するための最良の形態】
【００１４】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００１５】
以下の実施の形態では、主にシステムについて説明するが、所謂当業者であれば明らかな通り、本発明は装置、方法、及び、コンピュータを動作させるためのプログラムとしても実施できる。また、本発明はハードウェア、ソフトウェア、または、ハードウェア及びソフトウェアの実施形態で実施可能である。プログラムは、ハードディスク、ＣＤ−ＲＯＭ、ＤＶＤ−ＲＯＭ、光記憶装置、または、磁気記憶装置等の任意のコンピュータ可読媒体に記録できる。さらに、プログラムはネットワークを介した他のコンピュータに記録することができる。
【００１６】
（本発明の第１の実施形態）
本実施形態に係るオペレータ管理システムについて、図１ないし図１４を用いて説明する。
（１．構成）
図１は、本実施形態に係るオペレータ管理システムのシステム概要図である。オペレータ３（３1〜３n）は、通話機能を有し、会話に関する様々な情報を収集、及び表示するオペレータ端末２００を用いて顧客２と外部電話機１００にて会話する。管理者４は、通話機能を有し、オペレータ３に関する様々な情報を表示、及びオペレータ３に対して指示する管理端末３００を用いて複数のオペレータ３1〜３nを管理している。
【００１７】
サーバ４００は、オペレータ３と顧客２との会話情報を保存等しながら、当該会話情報を解析する。解析結果は管理端末３００に表示され、管理者４は、オペレータ３の会話情報に異常が発生していないかどうかをモニタリングすることができる。異常が検知された場合は、管理端末３００から、オペレータ端末２００にのみ音声情報を送れるように回線の接続モードの切替指示を行う。接続回線が切り替えられると、管理者４は、これまでの会話の内容を把握した上で、オペレータ３に対して適切なアドバイスを音声情報にて送信する。このとき、併せてテキスト情報も送信してもよい。また、回線の接続が正常に切り替えられない場合も、テキスト情報によりアドバイスを送信してもよい。
【００１８】
図２は、会話に異常が発生した場合のオペレータ管理システムの動作概要図である。図２（ａ）は、顧客２とオペレータ３との会話において、クレームが発生した場合を示す図である。管理者４は、サーバ４００を介して管理端末３００にて複数のオペレータ３1〜３nの会話をモニタリングしているが、クレームの兆候が報知されると、該当するオペレータ３の会話情報、及びオペレータ端末２００の業務画面等を管理端末３００にて確認する。
【００１９】
図２（ｂ）は、回線を切り替えて管理者４の音声情報をオペレータ端末２００に送信する場合を示す図である。オペレータ３の会話情報、及びオペレータ端末２００の業務画面等を確認した結果、クレームが発生していることを管理者４が確認した場合に、管理者４が接続回線モードの切替指示を行う。ここで、接続回線が切り替えられることで、管理者４の音声情報が、顧客２の外部電話機１００には送信されず、オペレータ端末２００にのみ送信されるようになる。オペレータ３は、顧客１００との会話を継続しながら、管理者４から送信されるアドバイスを聞く。
【００２０】
なお、このときテキスト情報によりアドバイスを送信してもよい。また、何らかの原因により回線がうまく切り替えられない場合や、音声情報を送信できない状況にある場合（例えば、管理者４が他のオペレータに音声情報でアドバイスを送っている場合等）にもテキスト情報によりアドバイスを送信してもよい。
【００２１】
図２（ｃ）は、クレームの対処が完了した場合を示す図である。オペレータ３は、管理端末３００から送信されたアドバイスを聞いて（又は見て）、顧客２のクレームに対して適切な対処をすることで、問題が大きくなる前に解決することができる。
【００２２】
図３は、接続回線を切り替える切替装置の構成を示す概要図である。回線切替装置５００は、複数のオートダイヤリング制御装置６００や一般電話機７００と接続されており、接続回線を切り替える装置である。オートダイヤリング制御装置６００は、ＵＳＢインターフェースを介してオペレータＰＣ６１０と接続している。オペレータ３は、このオペレータＰＣ６１０を通常のパソコン操作のように、ディスプレイを参照しながらマウスやキーボード等で操作することで、ヘッドセットを介して通話を行うことができる。会話が進むに連れて生成される会話情報（例えば、会話音声情報や業務画面情報等）は、オペレータＰＣ６１０の機能により会話情報としてサーバ４００に保存される。
【００２３】
回線切替装置５００は、ＵＳＢインターフェースを介してサーバ４００と接続しており、管理端末３００からの指示情報に基づいて接続回線の切り替えを行う（接続回線の切替制御の動作についての詳細は後述する）。また、回線切替装置５００は、カスケード接続されており、複数の管理者４が上記と同様に接続回線の切替制御を行うことができる。
【００２４】
切り替えられた接続回線については、音声横取アダプタ７１０、又はオートダイヤリング制御装置６００により分岐されることで、設定された接続回線モードに応じて会話音声情報の送受信が適切に行われる。音声横取アダプタ７１０は、外部電話機１００と一般電話機との間で相互に送受信される会話音声情報を分岐させるためのアダプタである。外部電話機１００とオペレータ端末２００との間で相互に送受信されている会話音声情報の分岐については、オートダイヤリング制御装置６００で行われる。
【００２５】
図４、本実施形態に係るオペレータ管理システムで用いるコンピュータのハードウェア構成図である。コンピュータ４０は、ＣＰＵ（Central  Processing  Unit）４１、ＲＡＭ（Random  Access  Memory）４２、ＲＯＭ（Read  Only  Memory）４３、フラッシュメモリ（Flash  Memory）４４、外部記憶装置であるＨＤ（Hard  Disk）４５を備える。また、ＬＡＮ（Local  Area  Network）カード４６、マウス４７、キーボード４８を備える。さらに、ビデオカード４９、このビデオカード４９と電気的に接続する表示装置であるディスプレイ４９ａ、サウンドカード５０、このサウンドカード５０と電気的に接続する音出力装置であるスピーカ５０ａを備える。さらにまた、フレキシブルディスク、ＣＤ−ＲＯＭ、ＤＶＤ−ＲＯＭ等の記憶媒体を読み書きするドライブ５１を備える。
なお、上記ハードウェア構成はあくまで一例を示したものであり、構成要素の変更をすることができるのは当然である。
【００２６】
図５は、本実施形態に係るオペレータ管理システムの機能ブロック図である。オペレータ管理システム１は、外部電話機１００とオペレータ端末２００と管理端末３００とサーバ４００と切替部５１０と分岐部５２０とを備える。
【００２７】
外部電話機１００は、着信部１１０と発信部１２０とを備える。
着信部１１０は、オペレータ端末２００、及びその他の通話機能を有する装置から発呼された発信情報を受信する処理を行う。
【００２８】
発信部１２０は、オペレータ端末２００、及びその他の通話機能を有する装置に対して発呼して発信情報を送信する処理を行うと共に、必要に応じて管理端末３００に対して発信情報を送信する処理を行う。
オペレータ端末２００は、発信部２１０と着信部２２０と会話情報収集部２３０と表示制御部２４０とを備える。
【００２９】
発信部２１０は、外部電話機１１０に対して発呼して発信情報を送信する処理を行うと共に、必要に応じて管理端末３００に対して発信情報を送信する処理を行う。
着信部２２０は、外部電話機１１０から発呼された発信情報を受信する処理を行うと共に、必要に応じて管理端末３００からの発信情報を受信する処理を行う。
【００３０】
会話情報収集部２３０は、オペレータ３と顧客２との会話情報を収集する処理を行う。収集した会話情報は、サーバ４００の会話状態記憶部４１０、音声情報記憶部４２０、及び画面情報記憶部４１２にそれぞれ保存される。
【００３１】
表示制御部２４０は、会話情報収集部２３０が収集した会話情報、サーバ４００に登録されているスクリプト情報、及び管理端末３００から入力されたメッセージ情報等を表示する処理を行う。会話情報には、例えば会話の内容や会話時間等が含まれる。スクリプト情報は、会話の流れを示す情報であり、オペレータ３はスクリプト情報を参照しながら顧客２との会話を進める。メッセージ情報は、管理者４が入力したメッセージ情報であり、顧客２との会話を進める上でのアドバイス等が含まれる。オペレータ３は、このメッセージを参照しながら顧客２との会話を進める。
【００３２】
サーバ４００は、会話状態記憶部４１０と音声情報記憶部４１１と画面情報記憶部４１２とスクリプト情報記憶部４１３とメッセージ情報記憶部４１４と会話情報解析部４２０と接続制御部４３０とを備える。
【００３３】
会話状態記憶部４１０は、オペレータ３と顧客２との現在の会話の状態を示す情報を格納する記憶部である。会話の状態とは、例えば会話時間、クレームの有無等の状態である。
音声情報記憶部４１１は、オペレータ３と顧客２との会話を録音した会話音声情報を格納する記憶部である。
【００３４】
画面情報記憶部４１２は、オペレータ３が顧客２と会話している際に、オペレータ端末に表示していた業務画面をキャプチャした画像を画面情報として格納する記憶部である。この画面情報は、音声情報記憶部４１１に格納されている会話音声情報と時間的に対応付けられて保存されている。
【００３５】
スクリプト情報記憶部４１３は、会話の流れを示すスクリプトを格納する記憶部である。スクリプト情報は、業務が開始される前に予め登録されており、オペレータ３は、このスクリプト情報に基づいて顧客２との会話を進める。また、業務内容に応じて様々なスクリプトが登録される。
【００３６】
メッセージ情報記憶部４１４は、管理端末３００で入力されたメッセージ情報を格納する記憶部である。管理端末３００で入力されるメッセージとは、管理者４からオペレータ３に対するアドバイスである。
【００３７】
会話情報解析部４２０は、会話状態記憶部４１０に格納された情報に基づいて、会話情報を解析する処理を行う。例えば、必要に応じて、会話時間やオペレータ３と顧客２との会話時間の割合等の情報に基づいて、会話に異常が発生する兆候にあるかどうかを解析する。また、必要に応じて、オペレータから入力された情報に基づいて、会話に異常が発生する兆候にあるかどうかを解析する。さらに、必要に応じて、会話内容から所定のキーワードを抽出する処理等を行う。
【００３８】
接続制御部４３０は、管理端末３００で入力された接続回線モードに基づいて、接続回線の切替制御を行う。接続回線モードには様々なモードが含まれるが、ここでは、例えばオペレータ端末２００、及び外部電話機１００の接続回線については、それぞれの会話音声情報を相互に送受信可能に接続する。そして、管理端末３００の接続回線については、会話音声情報を管理端末２００が受信可能に接続すると共に、管理端末２００から送信される管理音声情報をオペレータ端末２００にのみ送信可能に接続するモード（アドバイスモードとする）が含まれる。
管理端末３００は、入力部３１０と表示制御部３２０と音声入出力部３３０とを備える。
入力部３１０は、オペレータ３へのメッセージや接続回線モードの入力、及びその他の指示情報等を入力する処理を行う。
【００３９】
表示制御部３２０は、会話情報解析部４２０が解析した情報に基づいて、複数のオペレータ３の会話状態を表示する処理を行う。このとき、異常が発生する兆候にあるオペレータ３の会話についてはその旨を報知して表示する。また、管理者４のモニタリング中に、オペレータ端末２００に表示されているキャプチャされた業務画面を断続的に読み込んで表示する。さらに、異常が発生していると思われるオペレータ３のこれまでの会話情報を確認する際には、画面情報記憶部４１２に蓄積されている画面情報を、音声情報記憶部４１１に格納されている会話音声情報の再生速度に合わせて表示する。
【００４０】
音声入出力部３３０は、外部電話機１１０の発信部１２０、及びオペレータ端末２００の発信部２１０から送信される会話音声情報を受信する。また、アドバイスモードで回線が接続されている場合は、さらにオペレータ端末２００の着信部２２０に管理者４の管理音声情報を送信する。
【００４１】
切替部５１０は、接続制御部４３０の制御に基づいて接続回線の切替を行う。この切替部５１０は、図３における回線切替装置５００に相当する処理部である。
分岐部５２０は、外部電話機１００、オペレータ端末２００、及び管理端末３００のそれぞれの接続回線を分岐させる処理部であり、図３における、音声横取アダプタ７１０、又はオートダイヤリング制御装置６００の処理部に相当する。
【００４２】
（２．動作）
（２−１  オペレータ端末の動作）
図６は、本実施形態に係るオペレータ管理システムにおけるオペレータ端末の動作を示すフローチャートである。
まず、外部電話機１００からの着信、又は外部電話機への発信を行う（ステップＳ６０１）。外部電話機１００からの着信の場合は、主に問い合わせ、注文、クレーム等の会話内容となり、外部電話機１００への発信の場合は、主に販売促進等の会話内容となる。会話内容や会話相手の顧客２に応じて、サーバ４００から対応するスクリプト情報を読み込んでオペレータＰＣ６１０のディスプレイ１０９ａに表示する（ステップＳ６０２）。顧客２とオペレータ３との間で会話が開始されると、当該会話の状態に関する会話状態情報を収集して保存する（ステップＳ６０３）。外部電話機１００とオペレータ端末２００との間で送受信される会話音声情報、及びオペレータ端末２００（オペレータＰＣ６１０のディスプレイ１０９ａ）に表示される業務画面を断続的にキャプチャして保存する（ステップＳ６０４）。
【００４３】
ここで、オペレータ端末２００の表示画面について説明する。図７は、本実施形態に係るオペレータ管理システムにおけるオペレータ端末の表示画面の一例を示す図である。表示領域７５０には、管理者４からのメッセージを表示するためのメッセージ表示領域７５１とスクリプト情報を表示するためのスクリプト表示領域７５２とを備える。また、外部電話機１００に発信するための発信ボタン７５３と通話を切断するための切断ボタン７５４とを備える。
【００４４】
オペレータ３は、例えば、販売促進のために任意の顧客２に対して電話を掛ける場合に、電話番号を選択し（図示しない）、発信ボタン７５３をマウス等で押下する。このとき、販売促進用のスクリプト情報をスクリプト表示領域７５２に表示した状態で会話を進める。会話が進むに伴い、スクリプト表示領域７５２に表示されている情報も変化する。また、会話の状態に関する様々な情報がサーバ４００に記憶されると共に、会話音声情報や画面情報が保存される。
【００４５】
図６に戻って、オペレータ３は、必要に応じて会話に異常が発生したと思われる原因となる質疑応答にチェックをする（ステップＳ６０５）。この処理は必要に応じて行われるため必須の処理ではないが、管理者４が迅速にアドバイスを送るためにも実行されるのが好ましい。
【００４６】
このステップＳ６０５の処理について詳細に説明する。図８は、本実施形態に係るオペレータ管理システムにおけるオペレータ端末の表示画面の一例を示す第２の図である。図８において、会話内容における質疑応答が時系列順に一覧で表示されている。この質疑応答の一覧表示は、会話が進むに連れてリアルタイムに追加されていく。
【００４７】
図中の「オ：」はオペレータ３の会話内容であり、「顧：」は顧客２の会話内容である。会話内容によると、項番３の質疑応答までは特に問題なく会話が進んでいるが、項番４の質疑応答から顧客２の対応が変化し、項番５の質疑応答以降はクレームが発生している。これは、項番４の質疑応答において、オペレータ３のミスで顧客２の不都合な時間帯に電話したにも関わらず、そのことについて謝罪をせずに言い訳をしてしまったためである。
【００４８】
オペレータ３は、会話を継続しながら、自己の対応を振り返ってクレームが発生する兆候のあった項番４、又はクレームが発生し始めた項番５の質疑応答のチェック欄（図中の最差列）にチェックを入れておく。会話情報収集部２３０は、チェックの状態を収集し、会話状態記憶部４１０に保存すると共に、管理端末３００により、オペレータ３の会話に異常が発生する兆候がある旨、又は異常が発生した旨が報知される。管理者４は、報知された情報に基づいて、オペレータ３の会話状態を確認し、発生したクレームに対する対処方法をアドバイスとして送る。
なお、図８におけるキーワード列についての詳細は後述する。
【００４９】
また、ステップＳ６０５の処理を行わない場合には、異常が発生する兆候を、会話時間、顧客２とオペレータ３との会話時間の割合、オペレータ３からの要求等に基づいて管理端末３００に報知するようにしてもよい。さらに、管理者４が定期的にオペレータ３の会話をチェックして、異常が発生する兆候を検出してもよい。
【００５０】
さらにまた、顧客２の基本周波数や音圧レベル等の音質を測定し、当該音質と所定の閾値とを比較して音質が高くなった場合に、顧客２が興奮状態にあると判定し、異常が発生する兆候を検出してもよい。
さらにまた、前記音質が変化した時点を検出し、当該変化が検出された瞬間を異常が発生する兆候として検出してもよい。
【００５１】
図６に戻って、ステップＳ６０５の処理に続いて、管理端末３００からの音声情報が受信されたかどうかを判定する（ステップＳ６０６）。音声情報が受信された場合は、管理者４からのアドバイスであるため、そのアドバイスに基づいたオペレータ３の会話情報を外部電話機１００に送信する（ステップＳ６０７）。つまり、アドバイスに沿ったクレーム対応を行う。このとき、アドバイス内容は外部電話機１００には送信されない。
【００５２】
図７に示すように、管理者４からのアドバイスは、テキストによるアドバイスと音声によるアドバイスがある。管理端末３００からオペレータ端末２００にのみ音声情報を送信できるように回線が切り替えられている場合は、音声によりアドバイスを送ることで、迅速且つ的確なアドバイスを送ることができる。音声で送られたアドバイスは、オペレータ端末２００の着信部２２０で受信されてヘッドセットの一方の耳から聞くことができる。また、テキストによるアドバイスと同時に行うことでより的確なアドバイスも可能となる。
【００５３】
管理端末３００からオペレータ端末２００にのみ音声情報を送信できるように回線が切り替えられていない場合は、テキストによりアドバイスを送ることができる。テキストで送られたアドバイスは、オペレータ端末２００のメッセージ表示領域７５１に表示されて目で見て確認することができる。
【００５４】
図６に戻って、クレームの対応に成功したら、会話が終了したかどうかを判定し（ステップＳ６０８）、会話が終了してない場合は、ステップＳ６０３に戻り、継続して会話情報の収集を行う。会話が終了している場合は、切断ボタン７５４を押下して接続回線を切断して（ステップＳ６０９）、処理を終了する。
【００５５】
（２−２  管理端末の動作）
図９は、本実施形態に係るオペレータ管理システムにおける管理端末の動作を示すフローチャートである。まず、各オペレータ３の会話状態を表示してモニタリングする（ステップＳ９０１）。任意のオペレータについて、会話が異常である兆候、又は会話の異常が報知されたかどうかを判定し（ステップＳ９０２）、異常な会話が報知されていなければ、ステップＳ９０１に戻ってモニタリングを継続する。異常な会話が報知されていれば、オペレータ３と顧客２との現在の会話情報を受信して、会話内容を確認する（ステップＳ９０３）。確認した結果、異常な会話が発生しているかどうかを判定し（ステップＳ９０４）、発生していなければ、ステップＳ９０１に戻って、モニタリングを継続する。ただし、このとき、一度異常な会話として報知されているため、モニタリングの際には、異常が報知されたオペレータを重点的にモニタリングしたほうがよい。
【００５６】
ここで、管理者４のモニタリングについて説明する。図１０は、本実施形態に係るオペレータ管理システムにおける管理端末の表示画面の一例を示す図である。領域１００１には、オペレータ端末２００に対応付けてボタンが配置されている。ここでは、１０台のオペレータ端末２００を管理しているため、１０個のボタンが配置されている。それぞれのボタンは、会話時間の長さによって色が変化する。会話時間が長い場合には、クレームが発生している可能性が高いため、管理者４は会話時間が長いオペレータ端末２００を重点的にモニタリングしやすくなる。また、異常が発生する兆候にあるオペレータ端末２００、又は異常が発生しているオペレータ端末２００に対応するボタンについては、その旨がわかるように、色を変更したり点滅等させてもよい。そうすることで、管理者４に会話の異常を報知することができる。
【００５７】
領域１００１に配置されたボタンをマウス等で押下すると、該当するオペレータ端末２００の表示画面を領域１００２に表示して、内容を確認することができる。「現在の画面」ボタンを押下すると、該当するオペレータ端末の現在の業務画面を表示し、「戻す」や「進む」ボタンを押下すると、これまでの会話で保存された画面情報を表示する。
【００５８】
図９に戻って、ステップＳ９０４で異常な会話が発生した場合は、異常な会話が発生しているオペレータ３のこれまでの会話情報を出力する（ステップＳ９０５）。
ここで、ステップＳ９０５の出力処理について説明する。異常な会話が発生している場合に、管理者４は、オペレータ３に対して迅速且つ的確にアドバイスを送る必要があるが、異常な会話が発生した過程を把握していないと適切なアドバイスを送ることはできない。そこで、音声情報記憶部４１１、及び画面情報記憶部４１２に格納されている情報に基づいて、これまでの会話の過程を出力する。管理者４は、迅速な対応が求められることから、これまでの会話を全て確認する時間はない。そのため、会話の概要が確認できる態様で会話情報が出力される。
【００５９】
なお、コールセンタシステムにおける通話履歴等を保存する技術が開示されている（例えば、特開２００７−２５１４８８号公報）。特開２００７−２５１４８８号公報の技術は、断続的な画像データと、会話のテキスト情報を時間的な対応関係によりデータベースに保存することで、低データ量で履歴を保存することができる。しかしながら、迅速に会話内容を把握する観点からは不十分な技術であり、限られた時間の中で会話の概要を確認することができないという課題を有する。
【００６０】
本実施形態においては、会話の概要を短時間で確認するために、音声情報記憶部４１１に格納された会話音声情報を早回しで再生すると共に、画面情報記憶部４１２に格納された対応する画面情報を、会話音声情報の再生速度に合わせてスライド切替表示する。そうすることで、紙芝居のようにこれまでの会話の概要を確認することができる。
【００６１】
また、図８に示した質疑応答の一覧情報を利用することで、さらに迅速に対応することができる。図８で説明したように、クレームが発生する兆候が現れた質疑応答、及びクレームが発生している質疑応答には、オペレータ３によりチェックがされている。管理者４は、この一覧情報を管理端末３００に表示し、クレームが発生する兆候が現れた質疑応答以降（図８の項番４以降の質疑応答）の会話内容についてのみ確認を行う。そうすることで、無駄な確認作業を省いて迅速な対応が可能となる。
【００６２】
さらに、迅速な対応を行うために、図８においてチェックされている質疑応答のキーワードを確認する。キーワードには、会話の中で所定の品詞（例えば、名詞と動詞）に該当する文字列のみが抽出されて表示されている。この文字列の抽出は、会話情報解析部４２０により行われる。具体的には、会話音声情報を文字情報に変換し、変換した文字情報を形態素解析することで抽出することができる。管理者４は、キーワードのみを確認して、ある程度の会話内容を把握する。把握できない場合には、上述したように会話音声情報、及び画面情報を参照して把握する。そうすることで、管理者４が会話内容を把握する時間を短縮することができ、より迅速な対応をすることができる。
なお、キーワードとして抽出する品詞は、状況に応じて任意に設定してもよい。
【００６３】
図９に戻って、ステップＳ９０５で会話情報が出力され、管理者４がこれまでの会話内容を確認したら、接続回線モードをオペレータ端末２００にのみ音声情報を送信することができるアドバイスモードに変更する入力を行う（ステップＳ９０６）。
【００６４】
ここで、接続回線モードについて説明する。図１１は、外部電話機、オペレータ端末、及び管理端末の接続回線を示す模式図である。図中の矢印は、音声情報が流れる方向を示す。図１０の領域１００４には、モードごとに対応するボタンが配置されている。ボタン１００５を押下すると、全ての回線を開くように接続回線が制御される。ボタン１００６を押下すると、オペレータ端末２００と外部電話機１００が相互に会話音声情報を送受信し、管理端末３００がそれぞれの会話音声情報の受信のみを行うように接続回線が制御される（通常モードとする）。このとき、図１１において、回線（１）、（２）、（３）、及び（５）が開いている状態となる。
【００６５】
ボタン１００７を押下すると、ボタン１００６の場合と同様に、オペレータ端末２００と外部電話機１００が相互に会話音声情報を送受信し、管理端末３００がそれぞれの会話音声情報の受信を行う。さらに、管理端末３００からの管理音声情報をオペレータ端末２００のみに送信するように接続回線が制御される（アドバイスモード）。このとき、図１１において、回線（１）ないし（５）が開いている状態となる。
【００６６】
ボタン１００８を押下すると、ボタン１００７の場合に加えて、管理端末３００からの管理音声情報をオペレータ端末２００、及び外部電話機１００に送信するように接続回線が制御される（支援モードとする）。つまり、３者間での通話を行うことができる。このとき、図１１において、回線（１）ないし（６）が開いている状態となる。
【００６７】
ボタン１００９を押下すると、管理端末３００と外部電話機１００が相互に会話音声情報を送受信し、オペレータ端末２００がそれぞれの会話音声情報の受信のみを行うように接続回線が制御される（代理モードとする）。つまり、オペレータ３に代わって管理者４が対応する。このとき、図１１において、回線（１）、（４）、（５）、及び（６）が開いている状態となる。
【００６８】
ボタン１０１０を押下すると、管理端末３００とオペレータ端末２００が相互に会話音声情報を送受信し、外部電話機１００からそれぞれの端末へ会話音声情報を送信できるが、受信はできないように接続回線が制御される（作戦モードとする）。つまり、オペレータ３と管理者４とで、顧客２にわからないように作戦会議を行う。このとき、図１１において、回線（１）、（３）、（４）、及び（５）が開いている状態となる。
ボタン１０１１を押下すると、全ての回線を閉じる。
【００６９】
図９に戻って、ステップＳ９０６で入力したアドバイスモードに回線接続が制御されたかどうかを確認し（ステップＳ９０７）、正常に接続された場合は、オペレータ端末２００に、音声情報、及び／又はテキスト情報でアドバイスを送信する（ステップＳ９０８）。回線が正常に接続されない場合は、テキスト情報でアドバイスを送信する（ステップＳ９０９）。テキストでアドバイスを送信する場合には、図１０の領域１００３を使用して処理を行う。
【００７０】
図１０の領域１００３において、アドバイス内容を入力し、メッセージ送信ボタンを押下することで、オペレータ端末２００に対してメッセージを送信することができる。送信されたメッセージ情報は、メッセージ情報記憶部４１４に格納されると共に、図７のメッセージ表示領域７５１に表示される。このとき、オペレータ端末２００から確認済みのメッセージを送信するように要求する場合は、確認済みの要求にチェックしておく。
【００７１】
図９に戻って、送信したアドバイスに基づいて会話の異常を処理することができたら、業務を終了するかどうかを判定し（ステップＳ９１０）、終了しない場合は、ステップＳ９０１に戻って、モニタリングを継続する。業務を終了する場合は、プログラムをシャットダウンして処理を終了する。
【００７２】
（２−３  サーバの動作）
図１２は、本実施形態に係るオペレータ管理システムにおけるサーバの動作を示すフローチャートである。まず、業務ごとに会話の流れを示すスクリプト情報をスクリプト情報記憶部４１３に登録する（ステップＳ１２０１）。オペレータ端末２００で収集された会話状態に関する情報を会話状態記憶部４１０に記憶する（ステップＳ１２０２）。会話状態に関する情報には、例えば会話時間、オペレータ３と顧客２との会話時間の割合、会話の異常の有無等の情報が含まれる。会話状態に関する情報の記憶と併せて、オペレータ端末２００からの会話音声情報、及び画面情報を、それぞれ音声情報記憶部４１１、及び画面情報記憶部４１２に記憶する（ステップＳ１２０３）。このとき、会話音声情報、及び画面情報は相互に対応付けて記憶する。
【００７３】
会話情報解析部４２０が、会話状態を解析し、解析結果を管理端末３００に送信する（ステップＳ１２０４）。解析結果が送信された管理端末３００で、管理者４により現在の会話状態が確認され、会話に異常が発生する兆候、又は異常が発生しているかが判断される（ステップＳ１２０５）。異常がないと判断されると、ステップＳ１２０２に戻って、会話状態の記憶を継続して行う。会話に異常が発生する兆候、又は異常が発生していると判断されると、管理端末３００からの指示に基づいて、これまでの会話における会話音声情報、及び対応する画面情報を管理端末３００に送信する（ステップＳ１２０６）。
【００７４】
会話音声情報、及び画面情報が送信された管理端末３００で、管理者４によりこれまでの会話の内容や過程が確認され、回線を所定のモードに切り替える入力操作が行われる。本実施形態においては、特にアドバイスモードに切り替える指示情報が入力されたとする。そして、接続回線の変更指示があるかどうかが判定され（ステップＳ１２０７）、変更指示がある場合は、その指示情報に基づいて接続回線を切り替える制御を行う（ステップＳ１２０８）。
【００７５】
ここで、接続回線の切り替えについて説明する。図１３は、アドバイスモードの場合の接続回線を示す図である。図１３（ａ）において、分岐部５２０としての音声横取アダプタ７１０、又はオートダイヤリング制御装置６００を介して、外部電話機１００、オペレータ端末２００、及び管理端末３００がそれぞれ接続されている。アドバイスモードの場合は、図１３（ａ）に示すように、外部電話機１００、及びオペレータ端末２００が、会話音声情報を相互に送受信可能に接続されている。管理端末３００は、それぞれの会話音声情報を受信可能に接続されている。また、管理端末３００から送信される管理音声情報（オペレータへのアドバイス等の音声情報）は、オペレータ端末２００にのみ送信され、オペレータ３のみが聞くことができる。
【００７６】
図１３（ｂ）は、図１３（ａ）の接続回線の状態を詳細に示した図である。図１３（ｂ）において、モードの変更指示を受けると、モードスイッチがＯＮになりアドバイスモードに回線が切り替えられる。
【００７７】
回線が切り替えられる前は、顧客２の会話音声情報は、外部電話機１００のマイクから、オペレータ端末２００のヘッドセットの右スピーカ、及び管理端末３００のヘッドセットの右スピーカに送信される。オペレータ３の会話音声情報は、オペレータ端末２００のヘッドセットのマイクから、外部電話機１００のスピーカ、及び管理端末３００のヘッドセットの左スピーカに送信される。
【００７８】
回線が切り替えられた後は、管理者４の管理音声情報が、管理端末３００のヘッドセットのマイクから、オペレータ端末２００のヘッドセットの左スピーカに送信される。つまり、オペレータ３は、右耳で顧客２の会話音声情報を聞きながら、左耳で管理者４の管理音声情報を聞く。また、管理者４は、右耳で顧客２の会話音声情報を聞きながら、左耳でオペレータ３の会話音声情報を聞く。
【００７９】
なお、図１３（ｂ）において、左右が反対であってもよい。
また、片耳型のヘッドセットを使用する場合には、音声が混じって聞こえるようにしてもよい。
【００８０】
ここで、接続回線の切替動作について説明する。図１４は、接続回線を切り替える場合の動作を示すシーケンス図である。まず、準備段階として回線が開かれる。回線の状態を問い合わる問合せ信号を送信し、結果を状態通知として受信する。この問合せ処理を回線数分行い、接続しようとする任意の回線を開放する。回線が開放状態となることで、音声情報の送受信が可能となる。任意の回線について開放の必要がなくなったら回線をクローズして終了する。
【００８１】
図１２に戻って、ステップＳ１２０８で接続回線が切り替えられると、管理端末３００からのメッセージ情報の送信があるかどうかが判定される（ステップＳ１２０９）。メッセージ情報の送信がある場合は、メッセージ情報記憶部４１４に送信されたメッセージ情報を記憶すると共に、オペレータ端末２００に当該メッセージ情報を送信する（ステップＳ１２１０）。オペレータ３は、管理端末３００からアドバイスとして送信された音声情報、及び／又はメッセージ情報を参照して、クレーム等の会話の異常に対応する。
【００８２】
会話の異常等の事後処理が完了すると、業務を終了するかどうかを判定し（ステップＳ１２１１）、業務を終了しない場合は、ステップＳ１２０２に戻って、会話状態の記憶を継続して行う。業務を終了する場合は、プログラムをシャットダウンして処理を終了する。
【００８３】
なお、管理者４がこれまでの会話内容を把握する際には、これまでの会話内容を早回し、又は標準速度で全て聞いてもよいし、音声情報を文字列に変換し、当該変換した文字列を文章として解読して把握してもよい。好ましくは、上述したように異常の原因と思われる質疑応答のみを、早回しで再生しつつ画面情報をスライド表示して会話内容を把握するのがよい。さらに好ましくは、異常の原因と思われる質疑応答のみを、キーワードのみを参照して会話内容を把握するのがよい。
【００８４】
また、異常の原因と思われる質疑応答の抽出を、会話時間やオペレータ３と顧客２との会話時間の割合、１回の質疑応答に要した時間、任意の時間内における質疑応答の回数等の情報に基づいて、システム内で任意の閾値との比較処理を行うことで抽出してもよい。さらに、オペレータ３と顧客２とが同時に発声した時間、同時に無発声である時間等に基づいて抽出してもよい。
さらに、異常な会話として、例えば上述したようにクレームが発生した場合や、一方的な押し売りを行っている場合等が含まれる。
【００８５】
このように、本実施形態に係るオペレータ管理システムによれば、オペレータ端末、及び外部の電話機の接続回線について、それぞれの会話音声情報を相互に送受信可能に接続する。また、管理端末の接続回線については、当該会話音声情報を当該管理端末が受信可能に接続すると共に、当該管理端末から送信される管理音声情報を前記オペレータ端末にのみ送信可能に接続する。そうすることで、外部の電話機に対して音声情報を送ることなく、オペレータにのみ聞こえるように音声情報でそっとアドバイスを送ることができるという効果を奏する。
【００８６】
また、管理者が代理で対応することなく、オペレータが最後まで対応することができるため、会話相手の信頼性を失う可能性が低くなるという効果を奏する。
さらに、視覚的な手法によりアドバイスを送るのではなく、聴覚的な手法によりアドバイスを送るため、即時に情報を伝達することができ、適切なタイミングでアドバイスすることができるという効果を奏する。
【００８７】
さらにまた、オペレータ業務において非常に重要であり、相手の感情を左右する要素となる口調などの微妙なニュアンスについては視覚情報では伝わりにくい。しかし、音声情報でアドバイスすることで、口調や感情等の微妙なニュアンスを伝えることができるという効果を奏する。
【００８８】
さらにまた、会話に異常が発生した場合に、会話の際にオペレータ端末に表示されていた画面情報をスライド切替表示すると共に、その表示に対応した再生速度で会話音声情報を出力する。そうすることで、これまでの会話の内容について、画面情報と音声情報とを対応付けて確認することができると共に、紙芝居のように会話内容の概要を短時間で確認することができるため、管理者が適切なアドバイスを送ることができるという効果を奏する。
【００８９】
さらにまた、会話情報における質疑応答情報の一覧を表示し、そのうち会話の異常が発生した原因となる質疑応答情報を抽出し、当該抽出した質疑応答情報を優先して出力する。そうすることで、会話全体における質疑応答の中で、異常の原因を早急に確認することができ、管理者が早急な対応でオペレータに適切なアドバイスを送ることができるという効果を奏する。
【００９０】
さらにまた、会話音声情報を文字情報に変換し、変換した文字情報を形態素解析し、解析した文字情報から所定の品詞に該当する文字列を抽出し、抽出した文字列を質疑応答に対応付けて表示する。そうすることで、まずは会話の異常が発生した原因と思われるキーワードのみを確認し、その後に該当する質疑応答情報について優先的に詳細を確認することができるため、より早急にこれまでの会話内容を把握することができるという効果を奏する。
【００９１】
以上の前記実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【００９２】
（その他の実施形態）
前記実施形態に関して次の付記を示す。
（付記１）複数のオペレータ端末と当該オペレータ端末を管理する管理端末とを備えるオペレータ管理システムにおいて、前記オペレータ端末、管理端末、及び外部の電話機の接続回線を分岐させる回線分岐手段と、前記オペレータ端末、及び外部の電話機の接続回線について、それぞれの会話音声情報を相互に送受信可能に接続し、前記管理端末の接続回線について、当該会話音声情報を当該管理端末が受信可能に接続すると共に、当該管理端末から送信される管理音声情報を前記オペレータ端末にのみ送信可能に接続する接続制御手段と、当該接続制御手段の制御に基づいて、前記回線分岐手段が分岐させた各回線の接続を切り替える接続切替手段とを備えるオペレータ管理システム。
【００９３】
（付記２）付記１に記載のオペレータ管理システムにおいて、前記オペレータ端末、及び外部の電話機で送受信された会話音声情報、並びに当該会話音声情報が生成されたときに前記オペレータ端末に表示されていた画面情報を対応付けて会話情報として格納する会話情報格納手段と、前記会話情報における会話の異常を報知する異常報知手段と、当該異常報知手段が報知した報知情報に基づいて、前記会話情報格納手段に格納された前記会話音声情報を出力すると共に、当該会話音声情報の再生速度に対応した速度で前記画面情報をスライド切替表示する会話情報出力手段とを備えるオペレータ管理システム。
【００９４】
（付記３）付記２に記載のオペレータ管理システムにおいて、前記会話情報格納手段が格納する会話情報における質疑応答情報の一覧を表示する一覧表示手段と、当該一覧表示手段が表示した質疑応答情報のうち、会話の異常が発生した原因となる質疑応答情報を抽出する異常抽出手段とを備え、前記会話情報出力手段が、前記異常抽出手段が抽出した質疑応答情報に対応する前記会話情報を優先して出力するオペレータ管理システム。
【００９５】
（付記４）付記３に記載のオペレータ管理システムにおいて、前記会話音声情報を文字情報に変換する文字変換手段と、当該文字変換手段が変換した文字情報を形態素解析する文字解析手段と、当該文字解析手段が解析した文字情報から所定の品詞に該当する文字列を抽出する文字列抽出手段とを備え、前記一覧表示手段が、質疑応答情報の一覧を表示すると共に、前記文字列抽出手段が抽出した文字列を、当該質疑応答に対応付けて表示するオペレータ管理システム。
【００９６】
（付記５）複数のオペレータ端末を管理端末にて管理するオペレータ管理方法において、前記オペレータ端末、前記管理端末、及び外部の電話機の接続回線を分岐させて接続し、当該オペレータ端末、及び当該オペレータ端末と通話可能に接続する外部の電話機の接続回線について、それぞれの会話音声情報を相互に送受信可能に接続し、前記管理端末の接続回線について、当該会話音声情報を当該管理端末が受信可能に接続すると共に、当該管理端末から送信される管理音声情報を前記オペレータ端末にのみ送信可能に接続する接続制御ステップと、当該接続制御ステップの制御に基づいて、前記分岐させた各回線の接続を切り替える接続切替ステップとを含むオペレータ管理方法。
【００９７】
（付記６）付記５に記載のオペレータ管理方法において、前記オペレータ端末、及び外部の電話機で送受信された会話音声情報、並びに当該会話音声情報が生成されたときに前記オペレータ端末に表示されていた画面情報を対応付けて会話情報として格納する会話情報格納ステップと、前記会話情報における会話の異常を報知する異常報知ステップと、当該異常報知ステップで報知された報知情報に基づいて、前記会話情報格納ステップで格納された前記会話音声情報を出力すると共に、当該会話音声情報の再生速度に対応した速度で前記画面情報をスライド切替表示する会話情報出力ステップとを含むオペレータ管理方法。
【００９８】
（付記７）付記６に記載のオペレータ管理方法において、前記会話情報格納ステップで格納された会話情報における質疑応答情報の一覧を表示する一覧表示ステップと、当該一覧表示ステップで表示された質疑応答情報のうち、会話の異常が発生した原因となる質疑応答情報を抽出する異常抽出ステップとを含み、前記会話情報出力ステップで、前記異常抽出ステップにて抽出された質疑応答情報に対応する前記会話情報が優先して出力されるオペレータ管理方法。
【００９９】
（付記８）付記７に記載のオペレータ管理方法において、前記会話音声情報を文字情報に変換する文字変換ステップと、当該文字変換ステップで変換された文字情報を形態素解析する文字解析ステップと、当該文字解析ステップで解析された文字情報から所定の品詞に該当する文字列を抽出する文字列抽出ステップとを含み、前記一覧表示ステップで、質疑応答情報の一覧が表示されると共に、前記文字列抽出ステップで抽出された文字列が、当該質疑応答に対応付けて表示されるオペレータ管理方法。
【０１００】
（付記９）複数のオペレータ端末を管理端末にて管理するようにコンピュータを機能させるオペレータ管理プログラムにおいて、前記オペレータ端末、前記管理端末、及び外部の電話機の接続回線を分岐させて接続し、当該オペレータ端末、及び外部の電話機の接続回線について、それぞれの会話音声情報を相互に送受信可能に接続し、前記管理端末の接続回線について、当該会話音声情報を当該管理端末が受信可能に接続すると共に、当該管理端末から送信される管理音声情報を前記オペレータ端末にのみ送信可能に接続する接続制御手段、当該接続制御手段の制御に基づいて、前記分岐させた各回線の接続を切り替える接続切替手段としてコンピュータを機能させるオペレータ管理プログラム。
【０１０１】
（付記１０）付記９に記載のオペレータ管理プログラムにおいて、前記オペレータ端末、及び外部の電話機で送受信された会話音声情報、並びに当該会話音声情報が生成されたときに前記オペレータ端末に表示されていた画面情報を対応付けて会話情報として格納する会話情報格納手段、前記会話情報における会話の異常を報知する異常報知手段、当該異常報知手段が報知した報知情報に基づいて、前記会話情報格納手段に格納された前記会話音声情報を出力すると共に、当該会話音声情報の再生速度に対応した速度で前記画面情報をスライド切替表示する会話情報出力手段としてコンピュータを機能させるオペレータ管理プログラム。
【０１０２】
（付記１１）付記１０に記載のオペレータ管理プログラムにおいて、前記会話情報格納手段が格納する会話情報における質疑応答情報の一覧を表示する一覧表示手段、当該一覧表示手段が表示した質疑応答情報のうち、会話の異常が発生した原因となる質疑応答情報を抽出する異常抽出手段としてコンピュータを機能させ、前記会話情報出力手段が、前記異常抽出手段が抽出した質疑応答情報に対応する前記会話情報を優先して出力するオペレータ管理プログラム。
【０１０３】
（付記１２）付記１１に記載のオペレータ管理プログラムにおいて、前記会話音声情報を文字情報に変換する文字変換手段、当該文字変換手段が変換した文字情報を形態素解析する文字解析手段、当該文字解析手段が解析した文字情報から所定の品詞に該当する文字列を抽出する文字列抽出手段としてコンピュータを機能させ、前記一覧表示手段が、質疑応答情報の一覧を表示すると共に、前記文字列抽出手段が抽出した文字列を、当該質疑応答に対応付けて表示するオペレータ管理プログラム。
【図面の簡単な説明】
【０１０４】
【図１】第１の実施形態に係るオペレータ管理システムのシステム概要図である。
【図２】第１の実施形態に係るオペレータ管理システムにおいて会話に異常が発生した場合の動作概要図である。
【図３】第１の実施形態に係るオペレータ管理システムにおける接続回線を切り替える切替装置の構成を示す概要図である。
【図４】第１の実施形態に係るオペレータ管理システムで用いるコンピュータのハードウェア構成図である。
【図５】第１の実施形態に係るオペレータ管理システムの機能ブロック図である。
【図６】第１の実施形態に係るオペレータ管理システムにおけるオペレータ端末の動作を示すフローチャートである。
【図７】第１の実施形態に係るオペレータ管理システムにおけるオペレータ端末の表示画面の一例を示す第１の図である。
【図８】第１の実施形態に係るオペレータ管理システムにおけるオペレータ端末の表示画面の一例を示す第２の図である。
【図９】第１の実施形態に係るオペレータ管理システムにおける管理端末の動作を示すフローチャートである。
【図１０】第１の実施形態に係るオペレータ管理システムにおける管理端末の表示画面の一例を示す図である。
【図１１】第１の実施形態に係るオペレータ管理システムにおける外部電話機、オペレータ端末、及び管理端末の接続回線を示す模式図である。
【図１２】第１の実施形態に係るオペレータ管理システムにおけるサーバの動作を示すフローチャートである。
【図１３】第１の実施形態に係るオペレータ管理システムにおいてアドバイスモードの場合の接続回線を示す図である。
【図１４】第１の実施形態に係るオペレータ管理システムにおいて接続回線を切り替える場合の動作を示すシーケンス図である。
【符号の説明】
【０１０５】
１  オペレータ管理システム
２  顧客
３  オペレータ
４  管理者
４０  コンピュータ
４１  ＣＰＵ
４２  ＲＡＭ
４３  ＲＯＭ
４４  フラッシュメモリ
４５  ＨＤ
４６  ＬＡＮカード
４７  マウス
４８  キーボード
４９  ビデオカード
４９ａ  ディスプレイ
５０  サウンドカード
５０ａ  スピーカ／マイク
５１  ドライブ
１００  外部電話機
１１０  着信部
１２０  発信部
２００  オペレータ端末
２１０  発信部
２２０  着信部
２３０  会話情報収集部
２４０  表示制御部
３００  管理端末
３１０  入力部
３２０  表示制御部
３３０  音声入出力部
４００  サーバ
４１０  会話状態記憶部
４１１  音声情報記憶部
４１２  画面情報記憶部
４１３  スクリプト情報記憶部
４１４  メッセージ情報記憶部
４２０  会話情報解析部
４３０  接続制御部
５００  回線切替装置
５１０  切替部
５２０  分岐部
６００  オートダイヤリング制御装置
６１０  オペレータＰＣ
７００  一般電話機
７１０  音声横取アダプタ
７５０  表示領域
７５１  メッセージ表示領域
７５２  スクリプト表示領域
７５３  発信ボタン
７５４  切断ボタン
【図４】
2010141804.tif 000003
【図５】
2010141804.tif 000004
【図６】
2010141804.tif 000005
【図８】
2010141804.tif 000006
【図９】
2010141804.tif 000007
【図１１】
2010141804.tif 000008
【図１２】
2010141804.tif 000009
【図１４】
2010141804.tif 000010
【図１】
2010141804.tif 000011
【図２】
2010141804.tif 000012
【図３】
2010141804.tif 000013
【図７】
2010141804.tif 000014
【図１０】
2010141804.tif 000015
【図１３】
2010141804.tif 000016